(57)【要約】画像データに基づいてレポートを生成するシステムが開示される。テンプレート選択器（１）が、複数のテンプレートからテンプレートを選択する。テンプレートはレポートの構造およびレポートのために埋められるべきデータ・フィールドを定義し、テンプレートはさらにデータ・フィールドとビュー記述子との間の関連付けを定義し、ビュー記述子は、画像型および該画像型の呈示モードを定義する。データ・フィールド呈示器（２）が、テンプレートのデータ・フィールドの表現をユーザーに対して呈示する。画像データセット選択器（４）が、選択された少なくとも一つのデータ・フィールドに関連付けられたビュー記述子によって定義される画像型をもつ少なくとも一つの画像データセットを自動的に選択する。ビュー生成器（５）が、選択された少なくとも一つのデータ・フィールドに関連付けられたビュー記述子によって定義される呈示モードに基づいて少なくとも一つの選択された画像データセットのビューを自動的に生成する。レポート生成器（７）が、前記テンプレートおよびユーザーによって提供されたデータに基づいてレポートを生成する。【特許請求の範囲】
【請求項１】
画像データに基づいてレポートを生成するシステムであって：
複数のテンプレートからテンプレートを選択するテンプレート選択器であって、前記テンプレートは前記レポートの構造および前記レポートのために埋められるべきデータ・フィールドを定義し、前記テンプレートはさらにデータ・フィールドとビュー記述子との間の関連付けを定義し、ビュー記述子は、画像型および該画像型の呈示モードを定義する、テンプレート選択器と；
前記テンプレートの前記データ・フィールドの表現をユーザーに対して呈示するデータ・フィールド呈示器と；
前記データ・フィールドの少なくとも一つを選択するデータ・フィールド選択器と；
選択された前記少なくとも一つのデータ・フィールドに関連付けられたビュー記述子によって定義される画像型をもつ少なくとも一つの画像データセットを自動的に選択する画像データセット選択器と；
選択された前記少なくとも一つのデータ・フィールドに関連付けられたビュー記述子によって定義される呈示モードに基づいて前記少なくとも一つの選択された画像データセットのビューを自動的に生成するビュー生成器と；
生成されたビューの表示中に、選択された前記少なくとも一つのデータ・フィールドの内容について、ユーザーが入力を提供できるようにするユーザー入力ユニットと；
前記テンプレートおよびユーザーによって提供された前記データに基づいて前記レポートを生成するレポート生成器とを有する、
システム。
【請求項２】
前記テンプレートがさらに、データ・フィールドと測定記述子との間の関連付けを定義しており、測定記述子は、そのデータ・フィールドに関連付けられた画像型に対して実行されるべき測定を定義し；
当該システムはさらに、選択された前記少なくとも一つの画像データセットおよび前記測定記述子に基づいて測定を実行して測定データを得る測定ツールを有し；
前記レポート生成器は、前記少なくとも一つのデータ・フィールドを埋めるために前記測定データを使うよう構成される、
請求項１記載のシステム。
【請求項３】
前記測定ツールが前記ユーザー入力ユニットに動作上接続され、前記測定ツールがユーザー入力にも基づいて前記測定を実行する、請求項２記載のシステム。
【請求項４】
前記少なくとも一つの画像データセットの被験者に関連付けられたデータ・レコードに前記レポートを記憶するレポート記憶ユニットを有さらに有する、請求項１記載のシステム。
【請求項５】
前記レポート生成器が、前記少なくとも一つのデータ・フィールドのデータの表現を含む自然言語を生成するための自然言語生成器を有する、請求項１記載のシステム。
【請求項６】
前記レポート生成器が、前記ビュー生成器によって生成されるビューおよび／または選択された前記少なくとも一つのデータ・フィールドに関連付けられたビュー記述子によって定義される呈示モードに基づいて、前記少なくとも一つの選択された画像データセットの呈示を含めるよう構成されている、請求項１記載のシステム。
【請求項７】
画像データベースを有する画像管理伝送システム（PACS）と通信する第一の通信モジュールと、放射線医学もしく（RIS）を含む情報システムと通信する第二の通信モジュールとを有する、請求項１記載のシステム。
【請求項８】
前記ユーザー入力ユニットが、音声認識を使ってデータ・フィールドの少なくとも一つについての情報をユーザーが与えられるようにする音声認識モジュールを有する、請求項１記載のシステム。
【請求項９】
請求項１記載のシステムを有するワークステーション。
【請求項１０】
レポートを生成する方法であって、
複数のテンプレートからテンプレートを選択する段階であって、前記テンプレートは前記レポートの構造および前記レポートのために埋められるべきデータ・フィールドを定義し、前記テンプレートはさらにデータ・フィールドとビュー記述子との間の関連付けを定義し、ビュー記述子は、画像型および該画像型の呈示モードを定義する、段階と；
前記テンプレートの前記データ・フィールドの表現をユーザーに対して呈示する段階と；
前記データ・フィールドの少なくとも一つを選択する段階と；
選択された前記少なくとも一つのデータ・フィールドに関連付けられたビュー記述子によって定義される画像型をもつ少なくとも一つの画像データセットを自動的に選択する段階と；
選択された前記少なくとも一つのデータ・フィールドに関連付けられたビュー記述子によって定義される呈示モードに基づいて前記少なくとも一つの選択された画像データセットのビューを自動的に生成する段階と；
生成されたビューの表示中に、選択された前記少なくとも一つのデータ・フィールドの内容について、ユーザーが入力を提供できるようにする段階と；
前記テンプレートおよびユーザーによって提供された前記データに基づいて前記レポートを生成する段階とを含む、
方法。
【請求項１１】
請求項１０記載の方法をプロセッサ・システムに実行させるための命令を含むコンピュータ・プログラム。
【発明の詳細な説明】
【技術分野】
【０００１】
本発明は画像データに基づくレポートの生成に関する。
【背景技術】
【０００２】
現在の放射線医学では、画像は、要求に応じて、医療撮像装置の操作者によって生成される。この要求に応じて、画像が作成され、その後、レポートが生成される。要求は典型的にはモダリティおよび体内の領域を記述し、病状の記述や、確認または排除されるべき、可能性のある診断を含めて拡張することもできる。たいていの場合、画像は技師によって生成され、レポートはその後、放射線医によって閲覧室で作成される。場合によっては（たとえば超音波調査の場合）、放射線医は撮像を自分で実行することもある。
【０００３】
その後、レポートが生成される。これを行う一般的な方法は、口述によるものである。音声認識または文字起こしが書面のレポートを生成するために使われる。このレポートの内容は、ある程度、定式化されていてもよい。しかしながら、結果として得られるテキストは構造化されていない。
【０００４】
近年、構造化されたレポートに向けた潮流が現れてきている。ここでは、レポートは、他のアプリケーションがそこに含まれる情報を利用できるよう構造化される。RSNAによる最近のイニシアチブは、いくつかの異なるアプリケーションのための、レポートの構造についての一組のテンプレートを公開するというものである。
【０００５】
レポートの先進分野は乳癌診断である。ACRの胸部撮像レポートおよびデータ・システム（BI-RADS:  Breast  Imaging  Reporting  and  Data  System）は、マンモグラフィー（X線）、超音波およびMRIという三つのモダリティについて、レポートの表現および構造を記述する。BI-RADSの一部は、マンモグラフィーCAD  SOPクラス（Mammography  CAD  SOP  Class）定義のためのDICOM構造化レポート（DICOM  Structured  Reporting）に組み込まれている。DynaCAD（Invivo社）、CADStream（Merge社）およびB-CAD（Medipattern社）のような解析パッケージは、BI-RADS書式を埋めるために専用のユーザー・インターフェースを使い、報告された知見をキー画像にリンクする。フィリップス社のIntelliSpace  Breastはこれをすべてのモダリティについてでき、内容をDICOM構造化レポートにおいてエンコードする。
【０００６】
超音波では、DICOM構造化レポートは、たとえば心臓病学において、生成されたレポートをカート（cart）上に記憶するために使われる。しかしながら、これらのユーザー・インターフェースはみな応用分野に固有である。
【発明の概要】
【発明が解決しようとする課題】
【０００７】
画像データに基づいてレポートを生成する改善されたシステムを有することが有利であろう。
【課題を解決するための手段】
【０００８】
この問題によりよく対処するため、本発明の第一の側面は、
複数のテンプレートからテンプレートを選択するテンプレート選択器であって、前記テンプレートは前記レポートの構造および前記レポートのために埋められるべきデータ・フィールドを定義し、前記テンプレートはさらにデータ・フィールドとビュー記述子との間の関連付けを定義し、ビュー記述子は、画像型および該画像型の呈示モードを定義する、テンプレート選択器と；
前記テンプレートの前記データ・フィールドの表現をユーザーに対して呈示するデータ・フィールド呈示器と；
前記データ・フィールドの少なくとも一つを選択するデータ・フィールド選択器と；
選択された前記少なくとも一つのデータ・フィールドに関連付けられたビュー記述子によって定義される画像型をもつ少なくとも一つの画像データセットを自動的に選択する画像データセット選択器と；
選択された前記少なくとも一つのデータ・フィールドに関連付けられたビュー記述子によって定義される呈示モードに基づいて前記少なくとも一つの選択された画像データセットのビューを自動的に生成するビュー生成器と；
生成されたビューの表示中に、選択された少なくとも一つのデータ・フィールドの内容について、ユーザーが入力を提供できるようにするユーザー入力ユニットと；
前記テンプレートおよびユーザーによって提供された前記データに基づいて前記レポートを生成するレポート生成器とを有する、
システムを提供する。
【０００９】
自動的に少なくとも一つの画像データセットを選択し、選択された少なくとも一つのデータ・フィールドに対応する呈示モードに基づいてビューを生成するためにテンプレートを使うことは、適切な画像を吟味し、所望されるレポートを生成するのを特に効率的にする。
【００１０】
テンプレートはさらに、データ・フィールドと測定記述子との間の関連付けを定義してもよく、ここで、測定記述子は、そのデータ・フィールドに関連付けられた画像型に対して実行されるべき測定を定義し；
当該システムはさらに、選択された少なくとも一つの画像データセットおよび測定記述子に基づいて測定を実行して測定データを得る測定ツールを有し；
前記レポート生成器は、前記少なくとも一つのデータ・フィールドを埋めるために前記測定データを使うよう構成される。
【００１１】
レポートに含められるべき関連情報の収集は、該レポートのために必要とされる情報を提供することのできる適切な測定ツールを自動的に立ち上げることによってさらに向上させられてもよい。測定ツールは、完全に自動的にまたは対話モードで機能してもよい。対話モードでは、測定ツールはユーザー入力ユニットに動作上接続されていてもよく、測定ツールはユーザー入力にも基づいて測定を実行するよう構成されていてもよい。
【００１２】
本システムは、前記少なくとも一つの画像データセットの被験者に関連付けられたデータ・レコードに前記レポートを記憶するレポート記憶ユニットを有していてもよい。このようにして、たとえば画像管理伝送システム（PACS:  picture  archiving  and  communication  system）と病院情報システム（HIS:  hospital  information  system）または放射線医学情報システム（RIS:  radiology  information  system）との間の効率的なリンクが確立されうる。画像はPACSから取得されてもよく、一方、生成されたレポートはHISまたはRISに記憶されてもよい。
【００１３】
その目的に向け、本システムは、画像データベースを有する画像管理伝送システム（PACS）と通信する第一の通信モジュールと、放射線医学もしくは病院情報システム（RIS/RIS）を含む情報システムと通信する第二の通信モジュールとを有していてもよい。
【００１４】
レポート生成器は、前記少なくとも一つのデータ・フィールドのデータの表現を含む自然言語を生成するための自然言語生成器を有していてもよい。このようにして、結果として得られるレポートはより読みやすくなる。
【００１５】
レポート生成器は、ビュー生成器によって生成されるビューおよび／または選択された少なくとも一つのデータ・フィールドに関連付けられたビュー記述子によって定義される呈示モードに基づいて、前記少なくとも一つの選択された画像データセットの呈示を含めるよう構成されていてもよい。これは、レポートが自動的にイラストレーションされることを許容する。
【００１６】
ユーザー入力ユニットは、音声認識を使ってデータ・フィールドの少なくとも一つについての情報をユーザーが与えられるようにする音声認識モジュールを有していてもよい。これは、ユーザーが、前記レポートのための入力をより効率的に与えることを許容する。
【００１７】
もう一つの側面では、本発明は、前記システムを有するワークステーションを提供する。
【００１８】
もう一つの側面では、本発明は、レポートを生成する方法であって、
複数のテンプレートからテンプレートを選択する段階であって、前記テンプレートは前記レポートの構造および前記レポートのために埋められるべきデータ・フィールドを定義し、前記テンプレートはさらにデータ・フィールドとビュー記述子との間の関連付けを定義し、ビュー記述子は、画像型および該画像型の呈示モードを定義する、段階と；
前記テンプレートの前記データ・フィールドの表現をユーザーに対して呈示する段階と；
前記データ・フィールドの少なくとも一つを選択する段階と；
選択された前記少なくとも一つのデータ・フィールドに関連付けられたビュー記述子によって定義される画像型をもつ少なくとも一つの画像データセットを自動的に選択する段階と；
選択された前記少なくとも一つのデータ・フィールドに関連付けられたビュー記述子によって定義される呈示モードに基づいて前記少なくとも一つの選択された画像データセットのビューを自動的に生成する段階と；
生成されたビューの表示中に、選択された前記少なくとも一つのデータ・フィールドの内容について、ユーザーが入力を提供できるようにする段階と；
前記テンプレートおよびユーザーによって提供された前記データに基づいて前記レポートを生成する段階とを含む、
方法を提供する。
【００１９】
もう一つの側面では、本発明は、上記方法をプロセッサ・システムに実行させるための命令を含むコンピュータ・プログラム・プロダクトを提供する。
【００２０】
当業者は、本発明の上述した実施形態、実装および／または側面の二つ以上が、有用と見なされる任意の仕方で組み合わされてもよいことを認識するであろう。
【００２１】
前記システムの記述された修正および変形に対応する、前記画像取得装置、前記ワークステーション、前記システム、前記方法および／または前記コンピュータ・プログラム・プロダクトの修正および変形が、本稿に基づいて当業者によって実行されることができる。
【図面の簡単な説明】
【００２２】
本発明のこれらおよびその他の側面は、以下に記述される実施形態から明白となり、明快にされるであろう。
【図１】画像データに基づいてレポートを生成するシステムの図である。
【図２】画像データに基づいてレポートを生成する方法のフローチャートである。
【図３】スクリーンショットを示す図である。
【図４】レポートを示す図である。
【発明を実施するための形態】
【００２３】
図１は、画像データに基づいてレポートを生成するシステムのいくつかの側面を示すブロック図である。本システムをより明確に記述できるよう、本システムの最も有意な部分のみが図面において表現されており、それらの部分の間の相互関係の一部のみが描かれている。記述されるシステムの変形が可能であることを注意しておく。例示的な実装だけが図面に示されている。図示した要素のいくつかは任意的である。本システムは、たとえばソフトウェアを使ったコンピュータ・システム上で実装されてもよい。コンピュータ・システムは分散システムまたはワークステーションを含んでいてもよい。
【００２４】
本システムは、複数のテンプレートからテンプレートを選択するよう構成されたテンプレート選択器１を有していてもよい。テンプレートは、前記レポートおよび該レポートのために埋められるべきデータ・フィールドのための構造を定義してもよい。テンプレートはさらに、データ・フィールドとビュー記述子との間の関連付けを定義してもよい。ここで、ビュー記述子は、画像型および該画像型の呈示モードを定義する。テンプレート選択器１は、たとえば画像管理伝送システム（PACS）１７に結合されていてもよい。ユーザーは、PACS  １１から画像研究（image  study）を選択し、それをテンプレート選択器１に入力として提供することができるようにされていてもよい。もう一つの例では、ユーザーはRISワークリストからテンプレートを選択し、前記ワークリストに基づいてPACSから画像データを取得することができるようにされていてもよい。テンプレート選択器は画像データを解析し、前記研究の型に基づいて、必要とされるレポートの種類、よってテンプレートを決定するよう構成されていてもよい。テンプレート選択器１は、別の情報システム１６、たとえば放射線医学情報システム（RIS）または病院情報システム（HIS）にも結合されていてもよい。RIS/HIS  １６は、特定の研究型を求める、照会する医師から受領される文書を含んでいてもよい。テンプレート選択器１は、そのような情報に基づいてテンプレートを選択するよう構成されていてもよい。テンプレート選択器１は、ユーザーがテンプレートを選択することができるようにするよう構成されていてもよい。また、たとえばタスク・リストから特定の患者または特定の事例の選択を許容するよう、ユーザー・インターフェースが設けられていてもよい。
【００２５】
本システムはさらに、データ・フィールド呈示器２を有していてもよい。データ・フィールド呈示器２は、前記テンプレートの前記データ・フィールドの表現をユーザーに対して呈示するよう構成されていてもよい。たとえば、データ・フィールドは、ユーザーが、テンプレートによって指定されたデータ・フィールドに対応する、ウィジェット、ドロップダウン・ボックスおよびテキスト入力フィールドといったユーザー・インターフェース要素を選択できる電子的なフォームとして呈示されてもよい。
【００２６】
本システムはさらに、前記データ・フィールドの少なくとも一つを選択するよう構成されたデータ・フィールド選択器３を有していてもよい。この選択は、たとえば、選択されるべきフィールドのマウス・クリックに基づいて行われてもよい。選択器３は、フィールドを、逐次的な順序で、自動的に選択するよう構成されていてもよい。順序は、テンプレートにおいて指定されていてもよく、ユーザーによって変更されてもよい。
【００２７】
本システムはさらに、選択された前記少なくとも一つのデータ・フィールドに関連付けられたビュー記述子によって定義される画像型をもつ少なくとも一つの画像データセットを自動的に選択するよう構成されていてもよい画像データセット選択器４を有していてもよい。たとえば、画像データセット選択器４は、検索型によってまたは検索型に基づいて指定される一組の検索基準を満たす画像データセットを検索するよう構成されていてもよい。ここで、画像データセット選択器４は、レポートが該当する特定の患者についての画像を検索するよう構成されていてもよい。また、画像データセット選択器４は、たとえば履歴画像または参照画像を選択するよう構成されていてもよい。そのような履歴または参照画像は、比較を容易にするために、現在の患者のデータと一緒に示されてもよい。
【００２８】
本システムは、前記少なくとも一つの選択された画像データセットのビューを自動的に生成するビュー生成器５を有していてもよい。このビューは、選択された前記少なくとも一つのデータ・フィールドに関連付けられたビュー記述子によって定義される呈示モードに基づいて生成される。たとえば、選択された画像データセットは、テンプレートに含まれるビュー記述子によって指定される、スライス・ビューまたは最大輝度投影（MIP）ビューのような特定のビューをレンダリングするために処理されてもよい。
【００２９】
本システムは、生成されたビューを表示するディスプレイ１４を有していてもよい。さらに、ディスプレイ１４は、データ・フィールド呈示器２によって与えられるデータ・フィールドの表現を表示するよう構成されていてもよい。
【００３０】
本システムは、生成されたビューを表示している間に、選択された前記少なくとも一つのデータ・フィールドの内容について、ユーザーが入力を提供できるようにするユーザー入力ユニット６を有していてもよい。ユーザー入力ユニット６は、キーボード、マウスまたはマイクロホンといったユーザー入力装置１５から入力を受け取るよう構成されていてもよい。
【００３１】
本システムは、前記レポートを生成するレポート生成器７を有していてもよい。レポート生成器７は、前記テンプレートおよびユーザーによって提供された前記データを処理するよう構成される。この情報は、レポートをレンダリングするためにたとえばスタイル・シートと組み合わされてもよい。レポートは、構造化された形、たとえば表形式でまたはXML文書の形で作成されてもよい。レポートはまた、テキストの形で、たとえば自然言語を使ってレンダリングされてもよい。レポートはプリンタ（図示せず）で印刷されても、あるいは情報システム１６に記憶されてもよい。構造化された形式およびテキスト形式の一方または両方が、レポート記憶ユニット９を介して記憶されてもよい。
【００３２】
テンプレートはさらに、データ・フィールドと測定記述子との間の関連付けを定義してもよい。そのような測定記述子は、そのデータ・フィールドに関連付けられた画像型に対して実行されるべき測定を定義する。画像データセット選択器４がその画像型をもつ画像データセットを選択したとき、そのような測定を自動的に実行する、あるいはその選択された画像データセットを使って測定を容易にするようソフトウェア・ツールを初期化することが可能になる。その目的に向け、本システムはさらに、選択された前記少なくとも一つの画像データセットおよび測定記述子に基づいて測定を実行して測定データを得る測定ツール８を有していてもよい。レポート生成器７は、前記少なくとも一つのデータ・フィールドを埋めるために前記測定データを使うよう構成されていてもよい。
【００３３】
測定ツール８は、ユーザー入力ユニット６に動作上接続されていてもよい。このようにして、測定ツール８はユーザーが、たとえば画像中の点を設定するまたは他の仕方で測定に影響するための入力を与えることを許容してもよい。たとえば、テンプレートは、ある特定の種類のX線画像において特定の骨についてなされるべき長さ測定を定義していてもよい。すると、画像選択器は、画像データベースからの患者のその種類のX線画像を選択し、ビュー生成器が測定されるべき骨を示すビューを生成し、測定ツールが立ち上げられる。たとえば、測定ツールは、ユーザーに、骨の両端をクリックするよう指示するメッセージを画面１４上に示す。次いで測定ツールは二つの選択された点の間に線を引き、ディスプレイ１４上でその線を示し、二つの選択された点の間の長さを計算し、二つの点の間の長さを、電子フォームによって表されている規定されたデータ・フィールド中に記入する。
【００３４】
本システムは前記少なくとも一つの画像データセットの被験者に関連付けられたデータ・レコードに前記レポートを記憶するレポート記憶ユニット９を有していてもよい。この目的に向け、レポート記憶ユニットは、RISまたはHISのような情報システム１６と接続するためにデータ通信モジュール１２を使ってもよい。情報システムは、PACSであってもよい。レポートがPACSに記憶されるよう構成されてもよいからである。
【００３５】
レポート生成器７は、前記少なくとも一つのデータ・フィールドのデータの表現を含む自然言語を生成するための自然言語生成器１０を有していてもよい。自然言語生成器はそれ自身としては当技術分野において既知である。例として、テンプレートは、データ・フィールド中のエントリーによって埋められるべき空白をもつ自然言語テキストの断片を定義するスタイル・シートを有していてもよい。
【００３６】
レポート生成器７は、ビュー生成器５によって生成されるビューおよび／または選択された前記少なくとも一つのデータ・フィールドに関連付けられたビュー記述子によって定義される呈示モードに基づいて、前記少なくとも一つの選択された画像データセットの呈示を含めるよう構成されていてもよい。たとえば、測定ツール８の出力画像はレポートに含められてもよい。
【００３７】
本システムは、画像データベースを有する画像管理伝送システム（PACS）１７と通信する第一の通信モジュール１１と、放射線医学情報システム（RIS）もしくは病院情報システム（HIS）を含む情報システム１６と通信する第二の通信モジュール１２とを有していてもよい。テンプレートは、テンプレート選択器によって、たとえば情報システム１６から取得されてもよい。画像は、PACS  １７から取得されてもよい。レポートは、情報システム１６および／またはPACS  １７に記憶されてもよい。
【００３８】
ユーザー入力ユニット６は、音声認識を使ってデータ・フィールドの少なくとも一つについての情報をユーザーが与えられるようにする音声認識モジュール１３を有していてもよい。音声認識はそれ自身としては当技術分野において既知である。
【００３９】
上記機能の一部または全部がワークステーションを通じて提供されてもよい。ワークステーションは、本稿に記載されるシステムの諸部分を表すソフトウェアをプログラムされてもよい。上記機能は、対話的ウェブ・アプリケーションのような遠隔データ接続を介して、あるいはクライアント・サーバー・アーキテクチャを使って提供されてもよい。
【００４０】
図２は、レポートを生成する方法のフローチャートを示している。本方法は、複数のテンプレートからテンプレートを選択する段階２０１であって、前記テンプレートは前記レポートの構造および前記レポートのために埋められるべきデータ・フィールドを定義し、前記テンプレートはさらにデータ・フィールドとビュー記述子との間の関連付けを定義し、ビュー記述子は、画像型および該画像型の呈示モードを定義する、段階と；前記テンプレートの前記データ・フィールドの表現をユーザーに対して呈示する段階２０２と；前記データ・フィールドの少なくとも一つを選択する段階２０３と；選択された前記少なくとも一つのデータ・フィールドに関連付けられたビュー記述子によって定義される画像型をもつ少なくとも一つの画像データセットを自動的に選択する段階２０４と；選択された前記少なくとも一つのデータ・フィールドに関連付けられたビュー記述子によって定義される呈示モードに基づいて前記少なくとも一つの選択された画像データセットのビューを自動的に生成する段階２０５と；生成されたビューの表示中に、選択された前記少なくとも一つのデータ・フィールドの内容について、ユーザーが入力を提供できるようにする段階２０６と；前記テンプレートおよびユーザーによって提供された前記データに基づいて前記レポートを生成する段階２０７とを含む。この方法は、コンピュータ・プログラム・プロダクトとして実装されてもよい。本方法は、本稿に開示される機能に基づいて拡張または修正されてもよい。
【００４１】
RSNAは構造化されたレポートのためのいくつかのテンプレートを公開している。それらは全部で約100のレポートの二つの表現からなる。一つのバージョンは、機械読み取り可能なXML形式である。他方のバージョンはそのようなレポートのテキスト例である。機械読み取り可能なバージョンは、本稿に記載されるテンプレートの一部として使われてもよい。RSNAテンプレートは単に例であることを注意しておく。本稿に開示されるシステムは異なるテンプレートとともに運用されることができる。たとえば、ユーザーは、自分独自のテンプレートを追加できるようにされてもよい。さらに、RSNAによって規定されるものだけよりも多くの、異なる情報をレポートに含めるテンプレートが使用されてもよい。たとえば、どんな種類の測定がある種の値につながるかを示すことをユーザーに許容するデータ・フィールドを含むテンプレートが使用されてもよい。
【００４２】
本稿に開示されるレポート・システムは、データ（たとえば画像属性）および／または要求から、どのレポート・テンプレートが適切であるかを導き出すテンプレート選択器を有していてもよい。次いで、レポート・ワークスペースが生成されてもよい。レポート・ワークスペースは、前記テンプレートの機械読み取り可能なバージョンを受け、それに基づいて：
・構造化されたレポートを表現するデータ構造を導出する。
・データ構造を埋めるための専用のユーザー・インターフェースを生成する。
・たとえば、ユーザー・インターフェース画面が諸「タスク」および諸「フォーム」に細分されてもよい。タスクは、タスク・フロー・ガイダンスのメインの諸画面、典型的には「手順」「診療情報」「比較」「知見」および「印象」を含む。「フォーム」は、レポートの諸部分が埋められるサブセクションを含む。「知見」タブは典型的には、たとえば拡張器（expander）またはハーモニカ・コントロール（harmonica  control）を使って生成されることができる多くの細分をもつ。
・レポートを人間に読み取り可能な形でレンダリングするためのスタイル・シートを生成する。同様に、同じレポートの構造化されたバージョン（またはプレーンテキスト・バージョン）がレポート・システム（たとえばRIS）に送られることができ、画像バージョンがPACSに送られることができる。
【００４３】
記述されたシステムは、一貫した、完全な、正確なレポートを保証する助けとなりうる：テンプレートは完備性を強制するために使用されてもよく、測定は自動的にレポートに入力されてもよい。照会する医師にはよりよい情報が与えられる：キーとなる画像をもつ、完全な、構造化されたレポートである。管理報告が可能にされる：レポートは構造化された形をもつので、統計処理を実行することが可能であり、異なるレポートの値が比較され、解析されてもよい。品質保証が改善できる。またこの目的のために、本システムは、たとえば知見、結果……について、詳細な統計処理を行うことができる。また、生成されたレポートについて統計が簡単に計算できるため、臨床研究が簡単になる。たとえば、構造化されたレポート・フォーマットを使うとき、特定の診断Xをもつ何人の患者が知見Yを有していたかを自動的に決定できる。
【００４４】
図３は、MR前立腺に関係するプロトコルについてそのような応用のスクリーンショットを示している。左側のパネル３０１は、データを入力すべきデータ・フィールドのいくつかを示している。右側のパネル３０２は画像データの二つのビューを示しており、画像データセット選択器４によって諸画像データセットが自動的に選択されている。これら二つのスライスはビュー生成器５によって自動的に生成されており、自動的に表示される。左側のパネル３０１に示されるデータ・フィールドのいくつかは、画像のメタデータからすでに入手可能な情報（たとえば、MRの場の強度）に基づいて、または電子カルテにおいて入手可能な情報（たとえば、生年月日）から、自動的に埋められてもよい。システムは自動的に、「知見」セクションに測定の結果を含めることができる。値はレポートに自動的に入力されるので、ミスがなくなる。また、テンプレートおよび／またはビューに基づいて、キーとなる画像がレポートに追加されてもよい。このキーとなる画像は、測定値を示すまたは重要な領域をハイライトする注釈を含んでいてもよい。
【００４５】
図４は、本稿に開示されるシステムによってレンダリングされるレポートを示している。このレポートは、照会する医師のような人間にとって簡単に読み取れるテキスト部分４０１を含む。いくつかのキーとなる画像４０２が、ビュー生成器によって生成されたビューに基づいて含められている。キーとなる画像は、実行された測定の注釈をも含む。
【００４６】
本稿に開示されるシステムおよび方法は、一貫した、完全な、正確なレポートを保証し、照会する医師によりよい情報を提供し、管理報告を可能にし、品質保証を可能にし、臨床研究を可能にする助けとなりうる。従来技術のシステムでは、専用の解決策を構築するには長い時間がかかることがある。また、ユーザー独自の要求に合うユーザー・インターフェースを採用することは難しい。たとえば、別の測定を追加することは、困難または不可能である。
【００４７】
本発明が本発明を実施するよう適応されたコンピュータ・プログラム、特に担体上もしくは担体中のコンピュータ・プログラムにも適用されることは理解されるであろう。プログラムは、ソース・コード、オブジェクト・コード、部分的にコンパイルされた形のようなソース・コードとオブジェクト・コードの中間のコードの形であっても、あるいは本発明に基づく方法の実装において使うのに好適な他の任意の形であってもよい。そのようなプログラムが多くの異なるアーキテクチャ設計を有しうることも理解されるであろう。たとえば、本発明に基づく方法またはシステムの機能を実装するプログラム・コードは、一つまたは複数のサブルーチンに細分されていてもよい。機能をそれらのサブルーチンの間に分配する多くの異なる仕方は当業者には明白であろう。それらのサブルーチンは、自己完結したプログラムをなすよう、一つの実行可能なファイル中に一緒に格納されてもよい。そのような実行可能なファイルは、コンピュータ実行可能命令、たとえばプロセッサ命令および／またはインタープリタ命令（たとえばジャバ・インタープリタ命令）を含んでいてもよい。あるいはまた、サブルーチンの一つまたは複数または全部が少なくとも一つの外部ライブラリ・ファイル中に記憶されていて、たとえばランタイムに静的にまたは動的にメイン・プログラムとリンクされてもよい。メイン・プログラムは、サブルーチンの一つまたは複数への少なくとも一つの呼び出しを含む。サブルーチンも、互いへの呼び出しを含んでいてもよい。コンピュータ・プログラム・プロダクトに関係するある実施形態は、本稿に記載される方法のうち少なくとも一つの方法の各処理段階に対応するコンピュータ実行可能命令を含む。これらの命令は、サブルーチンに細分され、および／または静的または動的にリンクされうる一つまたは複数のファイルに格納されてもよい。コンピュータ・プログラム・プロダクトに関するもう一つの実施形態は、本稿に記載されるシステムおよび／またはプロダクトの少なくとも一つの各手段に対応するコンピュータ実行可能命令を含む。これらの命令は、サブルーチンに細分され、および／または静的または動的にリンクされうる一つまたは複数のファイルに格納されてもよい。
【００４８】
コンピュータ・プログラムの担体は、該プログラムを担持することのできる任意のエンティティまたはデバイスであってもよい。たとえば、担体は、ROM、たとえばCD-ROMまたは半導体ROMのようなROMまたは磁気記録媒体、たとえばフラッシュドライブまたはハードディスクのような記憶媒体を含んでいてもよい。さらに、担体は、電気または光ケーブルを介してまたは電波または他の手段によって伝達されうる、電気信号または光信号のような伝送可能担体であってもよい。プログラムがそのような信号に埋め込まれる場合には、そのようなケーブルまたは他のデバイスまたは手段が該担体をなしうる。代替的に、担体はプログラムが埋め込まれ、関連する方法を実行するようまたは関連する方法の実行において使われるよう適応された集積回路であってもよい。
【００４９】
上記の実施形態は本発明を限定ではなく例解するものであり、当業者は、付属の請求項の範囲から外れることなく多くの代替的な実施形態を考案できるであろうことを注意しておくべきである。請求項において、括弧に入れた参照符号があったとしても、その請求項を限定するものと解釈してはならない。動詞「有する／含む」およびその活用形の使用は請求項において述べられている以外の要素や段階の存在を排除するものではない。要素の単数形の表現はそのような要素の複数の存在を排除するものではない。本発明は、いくつかの相異なる要素を有するハードウェアによって、および好適にプログラムされたコンピュータによって実装されてもよい。いくつかの手段を列挙する装置請求項において、これらの手段のいくつかは同一のハードウェア項目によって具現されてもよい。ある種の施策が互いに異なる従属請求項に記載されているというだけの事実がそれらの施策の組み合わせが有利に使用できないことを示すものではない。
【図１】
2014509030.tif 000002
【図２】
2014509030.tif 000003
【図３】
2014509030.tif 000004
【図４】
2014509030.tif 000005
【手続補正書】
【提出日】平成25年9月26日(2013.9.26)
【手続補正１】
【補正対象書類名】特許請求の範囲
【補正対象項目名】全文
【補正方法】変更
【補正の内容】
【特許請求の範囲】
【請求項１】
画像データに基づいてレポートを生成するシステムであって：
複数のテンプレートからテンプレートを選択するテンプレート選択器であって、前記テンプレートは前記レポートの構造および前記レポートのために埋められるべきデータ・フィールドを定義し、前記テンプレートはさらにビュー記述子および前記データ・フィールドと前記ビュー記述子との間の関連付けを定義し、ビュー記述子は、画像型および該画像型の呈示モードを定義する、テンプレート選択器と；
前記テンプレートの前記データ・フィールドの表現をユーザーに対して呈示するデータ・フィールド呈示器と；
前記データ・フィールドの少なくとも一つを選択するデータ・フィールド選択器と；
選択された前記少なくとも一つのデータ・フィールドに関連付けられたビュー記述子によって定義される画像型をもつ少なくとも一つの画像データセットを自動的に選択する画像データセット選択器と；
選択された前記少なくとも一つのデータ・フィールドに関連付けられたビュー記述子によって定義される呈示モードに基づいて前記少なくとも一つの選択された画像データセットのビューを自動的に生成するビュー生成器と；
生成されたビューの表示中に、選択された前記少なくとも一つのデータ・フィールドの内容について、ユーザーが入力を提供できるようにするユーザー入力ユニットと；
前記テンプレートおよびユーザーによって提供された前記データに基づいて前記レポートを生成するレポート生成器とを有する、
システム。
【請求項２】
前記テンプレートがさらに、データ・フィールドと測定記述子との間の関連付けを定義しており、測定記述子は、そのデータ・フィールドに関連付けられた画像型に対して実行されるべき測定を定義し；
当該システムはさらに、選択された前記少なくとも一つの画像データセットおよび前記測定記述子に基づいて測定を実行して測定データを得る測定ツールを有し；
前記レポート生成器は、前記少なくとも一つのデータ・フィールドを埋めるために前記測定データを使うよう構成される、
請求項１記載のシステム。
【請求項３】
前記測定ツールが前記ユーザー入力ユニットに動作上接続され、前記測定ツールがユーザー入力にも基づいて前記測定を実行する、請求項２記載のシステム。
【請求項４】
前記少なくとも一つの画像データセットの被験者に関連付けられたデータ・レコードに前記レポートを記憶するレポート記憶ユニットを有さらに有する、請求項１記載のシステム。
【請求項５】
前記レポート生成器が、前記少なくとも一つのデータ・フィールドのデータの表現を含む自然言語を生成するための自然言語生成器を有する、請求項１記載のシステム。
【請求項６】
前記レポート生成器が、前記ビュー生成器によって生成されるビューおよび／または選択された前記少なくとも一つのデータ・フィールドに関連付けられたビュー記述子によって定義される呈示モードに基づいて、前記少なくとも一つの選択された画像データセットの呈示を含めるよう構成されている、請求項１記載のシステム。
【請求項７】
画像データベースを有する画像管理伝送システム（PACS）と通信する第一の通信モジュールと、放射線医学もしく（RIS）を含む情報システムと通信する第二の通信モジュールとを有する、請求項１記載のシステム。
【請求項８】
前記ユーザー入力ユニットが、音声認識を使ってデータ・フィールドの少なくとも一つについての情報をユーザーが与えられるようにする音声認識モジュールを有する、請求項１記載のシステム。
【請求項９】
請求項１記載のシステムを有するワークステーション。
【請求項１０】
レポートを生成する方法であって、
複数のテンプレートからテンプレートを選択する段階であって、前記テンプレートは前記レポートの構造および前記レポートのために埋められるべきデータ・フィールドを定義し、前記テンプレートはさらにビュー記述子および前記データ・フィールドと前記ビュー記述子との間の関連付けを定義し、ビュー記述子は、画像型および該画像型の呈示モードを定義する、段階と；
前記テンプレートの前記データ・フィールドの表現をユーザーに対して呈示する段階と；
前記データ・フィールドの少なくとも一つを選択する段階と；
選択された前記少なくとも一つのデータ・フィールドに関連付けられたビュー記述子によって定義される画像型をもつ少なくとも一つの画像データセットを自動的に選択する段階と；
選択された前記少なくとも一つのデータ・フィールドに関連付けられたビュー記述子によって定義される呈示モードに基づいて前記少なくとも一つの選択された画像データセットのビューを自動的に生成する段階と；
生成されたビューの表示中に、選択された前記少なくとも一つのデータ・フィールドの内容について、ユーザーが入力を提供できるようにする段階と；
前記テンプレートおよびユーザーによって提供された前記データに基づいて前記レポートを生成する段階とを含む、
方法。
【請求項１１】
請求項１０記載の方法をプロセッサ・システムに実行させるための命令を含むコンピュータ・プログラム。
【請求項１２】
生成されるべきレポートの構造を定義する機械可読テンプレートであって、前記テンプレートはさらにビュー記述子および前記データ・フィールドと前記ビュー記述子との間の関連付けを定義し、ビュー記述子は、画像型および該画像型の呈示モードを定義する、機械可読テンプレート。
【国際調査報告】
2014509030.tif 000006
2014509030.tif 000007
2014509030.tif 000008